(57)【要約】      （修正有）【課題】アダプタパネルの固定位置（アダプタに対する光コードのコネクタの接続位置）を変更可能として、コネクタが周囲の機器に接触するのを防ぎ、コネクタの接続不良や脱落を防止し得る光成端箱を提供する。【解決手段】光ファイバケーブル１３２またはドロップケーブル内の光ファイバ芯線１３０がコネクタ１３１を介してアダプタ１２０の一端に装着され、アダプタの他端に光コード１４０のコネクタ１４１が装着されて光ファイバ芯線と光コードとが光学的に接続される光成端箱において、アダプタを複数並べて保持するためのアダプタパネル１２１を、本体１００の端部に形成された第１のアダプタパネル固定位置、または、本体の内部に形成された第２のアダプタパネル固定位置、の何れかに固定可能とする。【選択図】図５
2020134742.tif 000002
【特許請求の範囲】
【請求項１】
光ファイバケーブルまたはドロップケーブル内の光ファイバ芯線がコネクタを介してアダプタの一端に装着され、前記アダプタの他端に光コードのコネクタが装着されることにより、前記光ファイバ芯線と前記光コードとが光学的に接続される光成端箱において、
前記アダプタを複数並べて保持するためのアダプタパネルを、本体の端部に形成された第１のアダプタパネル固定位置、または、本体の内部に形成された第２のアダプタパネル固定位置、の何れかに固定可能としたことを特徴とする光成端箱。
【請求項２】
請求項１に記載した光成端箱において、
前記アダプタパネルが前記第１のアダプタパネル固定位置に固定された状態では、前記アダプタの他端が前記本体から突出し、当該他端に前記光コードのコネクタが装着されることを特徴とする光成端箱。
【請求項３】
請求項１または請求項２に記載した光成端箱において、
前記アダプタパネルが前記第２のアダプタパネル固定位置に固定された状態では、前記アダプタの他端が前記本体の内部に配置され、前記本体に装着されるカバーによって前記アダプタの他端と前記光コードのコネクタとの装着箇所が覆われることを特徴とする光成端箱。
【請求項４】
請求項３に記載した光成端箱において、
前記カバーを前記本体の正面から第１の方向に沿って被せ、更に、前記第１の方向に直交する第２の方向に沿って前記カバーをスライドさせることにより、前記カバーを前記本体に装着することを特徴とする光成端箱。
【発明の詳細な説明】
【技術分野】
【０００１】
本発明は、光ファイバケーブルまたはドロップケーブルと光コードとをコネクタ及びアダプタを介して接続する光成端箱に関するものである。
【背景技術】
【０００２】
この種の光成端箱の従来技術として、特許文献１に記載されたものが知られている。
図７は、特許文献１に記載された光成端箱の概略的な構成図である。図７において、光ファイバケーブル６００内の複数の光ファイバ芯線６０１は、光成端箱５００の外装ケース５０１上に配置された余長収容部５０２に導入され、接続部５０３によって光ファイバ芯線５０４とそれぞれ接続される。光ファイバ芯線５０４の他端にはコネクタ５０５がそれぞれ取り付けられており、これらのコネクタ５０５は、アダプタ５０６を介して、外部から導入された光コード５０８のコネクタ５０７と接続される。
なお、図７において、６０２はテンションメンバー、６０３は接続パイプである。
【０００３】
上記の光成端箱５００によれば、光ファイバケーブル６００が外装ケース５０１に対して様々な方向から引き込まれる場合でも、光ファイバ芯線６０１を確実に余長収容部５０２に導入することができる。
すなわち、光成端箱５００の外装ケース５０１は、接続パイプ６０３を中心軸として周囲３６０度の範囲内で位置決め可能であるため、光ファイバケーブル６００と光成端箱５００との相対的位置の自由度が高くなる。これにより、設置スペース等の制約をうけにくい光成端箱５００を提供することができる。
【先行技術文献】
【特許文献】
【０００４】
【特許文献１】特開２００５−７８０３３号公報（段落［００１３］〜［００１９］、図１，図２等）
【発明の概要】
【発明が解決しようとする課題】
【０００５】
しかしながら、前述の光成端箱５００では、外装ケース５０１の端部にアダプタ５０６が固定され、このアダプタ５０６に光コード５０８のコネクタ５０７が接続される構造となっている。
このため、外装ケース５０１の端部から突出しているコネクタ５０７が周囲の機器や部材に接触してずれたり外れたりする恐れがあると共に、露出状態のコネクタ５０７が悪戯の対象になる等の問題があった。
【０００６】
そこで、本発明の解決課題は、複数のアダプタを保持するアダプタパネルの固定位置、言い換えれば、前記アダプタに接続される光コードのコネクタの位置を本体内部に変更可能として、コネクタが周囲の機器に接触するのを防ぎ、コネクタの接続不良や脱落を防止するようにした光成端箱を提供することにある。
【課題を解決するための手段】
【０００７】
上記課題を解決するため、請求項１に係る発明は、光ファイバケーブルまたはドロップケーブル内の光ファイバ芯線がコネクタを介してアダプタの一端に装着され、前記アダプタの他端に光コードのコネクタが装着されることにより、前記光ファイバ芯線と前記光コードとが光学的に接続される光成端箱において、
前記アダプタを複数並べて保持するためのアダプタパネルを、本体の端部に形成された第１のアダプタパネル固定位置、または、本体の内部に形成された第２のアダプタパネル固定位置、の何れかに固定可能としたことを特徴とする。
【０００８】
請求項２に係る発明は、請求項１に記載した光成端箱において、前記アダプタパネルが前記第１のアダプタパネル固定位置に固定された状態では、前記アダプタの他端が前記本体から突出し、当該他端に前記光コードのコネクタが装着されることを特徴とする。
【０００９】
請求項３に係る発明は、請求項１または請求項２に記載した光成端箱において、前記アダプタパネルが前記第２のアダプタパネル固定位置に固定された状態では、前記アダプタの他端が前記本体の内部に配置され、前記本体に装着されるカバーによって前記アダプタの他端と前記光コードのコネクタとの装着箇所が覆われることを特徴とする。
【００１０】
請求項４に係る発明は、請求項３に記載した光成端箱において、前記カバーを前記本体の正面から第１の方向に沿って被せ、更に、前記第１の方向に直交する第２の方向に沿って前記カバーをスライドさせることにより、前記カバーを前記本体に装着することを特徴とする。
【発明の効果】
【００１１】
本発明によれば、アダプタパネルの固定位置を本体端部または本体内部に変更可能であるため、アダプタに接続される光コードのコネクタの位置を、必要に応じて本体内部に変更することができる。これにより、コネクタが周囲の機器に接触するのを防ぎ、コネクタの接続不良や脱落を防止することができる。
更に、本体に対するカバーの着脱が容易であるため、成端時の作業性が良い等の利点がある。
【図面の簡単な説明】
【００１２】
【図１】本発明の実施形態を示す構成図であり、（ａ）〜（ｃ）はカバーの３面図、（ｄ）は本体及びカバーを組み合わせた状態の底面図である。
【図２】本発明の実施形態における本体の構成図であり、（ａ）は正面図、（ｂ）は左側面図である。
【図３】本発明の実施形態において、本体にカバーを装着する状態を示す側面図である。
【図４】本発明の実施形態において、本体にカバーを装着する状態を示す背面図である。
【図５】本発明の実施形態における使用状態を示す本体の正面図である。
【図６】本発明の実施形態における使用状態を示す本体の正面図である。
【図７】特許文献１に記載された光成端箱の概略的な構成図である。
【発明を実施するための形態】
【００１３】
以下、図に沿って本発明の実施形態を説明する。
まず、図１は本発明の実施形態を示す構成図であり、（ａ）〜（ｃ）はカバー２００の３面図、（ｄ）は本体１００及びカバー２００を組み合わせた状態の底面図である。
【００１４】
図１（ａ）〜（ｃ）に示すように、カバー２００は天板２０７の三方に側片２０４，２０５及び連結片２０６がそれぞれ立設され、残りの一方が開放された構造となっている。
このカバー２００を本体１００に装着した状態では、図１（ｄ）に示す如く、カバー２００の開放側に配置されたアダプタ（ＳＣアダプタ）１２０に対して外部から光コード１４０のコネクタ１４１（図５を参照）を挿入し、接続することが可能である。
【００１５】
次に、図２は本体１００の構成図であり、（ａ）は正面図、（ｂ）は左側面図である。
図２（ａ）において、１０１は光ファイバ芯線の余長収容部を構成する底板である。この底板１０１の下端部の左右には、例えば４ｍｍ幅のドロップケーブル（図示せず）を固定するためのドロップケーブル固定部１０２，１０３がそれぞれ配置されている。また、ドロップケーブル固定部１０２，１０３の上には、光ファイバケーブルを固定するためのケーブル固定金具１５０，１５２を必要に応じて取付可能となっている。
【００１６】
底板１０１の左右両側には側板１１５，１１６が立設され、両者の対向面には、光ファイバ芯線の余長が紙面の手前側にはみ出るのを規制するガイド片１０８，１０９が配置されている。なお、これらのガイド片１０８，１０９は、紙面に直交する方向に沿ってそれぞれ複数段、形成されている。
【００１７】
側板１１５，１１６の下端部近傍には、後述するカバー２００の係止片２０２，２０３を案内するための係止溝１１２，１１３が形成されている。
底板１０１の上端部背面には、カバー２００の背面中央部の係止片２０１に係止する係止凹部１１１が形成されている。この係止凹部１１１の近傍には、光ファイバ芯線の余長を案内するガイド壁１１０が配置され、その下方には、本体１００を壁面等に取り付けるための取付孔１１４が形成されている。
【００１８】
また、底板１０１の下端部には、後述するアダプタパネル１２１を装着するための一対のアダプタパネル装着部１０４ａ，１０４ｂが配置されており、これらの装着部１０４ａ，１０４ｂの間には、第１のアダプタパネル固定位置１０５が形成されている。
更に、上記アダプタパネル装着部１０４ａ，１０４ｂ及びアダプタパネル固定位置１０５を底板１０１の内部に平行移動した位置にも、アダプタパネル装着部１０６ａ，１０６ｂ及び第２のアダプタパネル固定位置１０７が形成されている。すなわち、この実施形態では、第１のアダプタパネル固定位置１０５または第２のアダプタパネル固定位置１０６の何れかを選択してアダプタパネル１２１を固定することができる。
【００１９】
図３は、カバー２００を本体１００に装着する状態を示す側面図である。図示するように、本体１００の上方から第１の方向（ｘ方向）に沿ってカバー２００を被せ、その後に、第１の方向に直交する第２の方向（ｙ方向）に沿ってカバー２００をスライドさせる。これにより、カバー２００の係止片２０１を本体１００の係止凹部１１１に係止させると共にカバー２００の係止片２０２，２０３を本体１００のＬ字形の係止溝１１３，１１２に沿わせて係止させ、カバー２００を本体１００に装着することができる。
【００２０】
すなわち、本体１００に対してカバー２００をｘ方向、ｙ方向に移動させる簡単な操作によってカバー２００の装着が可能である。カバー２００を本体１００から取り外す場合には、装着時とは逆の操作を行えば良い。
【００２１】
図４は、カバー２００を本体１００に装着する際の背面図であり、カバー２００の係止片２０２，２０３を本体１００のＬ字形の係止溝１１３，１１２に沿わせて移動させる状態を示している。カバー２００と本体１００とを相対的にｙ方向へ移動させ、最終的に係止片２０１，２０２，２０３を係止凹部１１１、係止溝１１３，１１２にそれぞれ係止させることでカバー２００の装着が完了する。
【００２２】
次に、図５は、使用状態を示す本体１００の正面図である。ここでは、本体１００の下端部左側にケーブル固定金具１５０及び固定バンド１５１を用いて光ファイバケーブル１３２を固定し、この光ファイバケーブル１３２内の光ファイバ芯線１３０の余長を円弧状に引き回した後、その先端に接続されたコネクタ１３１をそれぞれアダプタ（ＳＣＤアダプタ）１２０の一端部に接続している。
なお、１４１は、アダプタ１２０の他端に装着されるコネクタであり、１４０はコネクタ１４１に接続された光コードである。
【００２３】
ここで、光ファイバケーブル１３２内のテンションメンバーについては図示を省略してあるが、ケーブル固定金具１５０を底板１０１に固定するためのボルトを使用してテンションメンバーを固定することができる。
【００２４】
また、１２１は、複数（例えば４個）のアダプタ１２０を並べた状態で枠内に保持し、これらのアダプタ１２０を本体１００に取り付けるための枠状のアダプタパネルである。このアダプタパネル１２１は、前述した図２における第１のアダプタパネル固定位置１０５に取り付けられている。
【００２５】
図５では、アダプタ１２０の上面に回線番号１〜４が付されており、これらの回線番号に基づいて、光コード１４０のコネクタ１４１を所定のアダプタ１２０に接続する。すなわち、第１のアダプタパネル固定位置１０５にアダプタパネル１２１を固定すれば、図示されていないカバー２００を装着した後の状態でも、露出しているアダプタ１２０の上面の回線番号からコネクタ１４１の接続先を確認することができる。
【００２６】
更に、この実施形態では、複数のアダプタ１２０を保持したアダプタパネル１２１を、図６に示すごとく、底板１０１の内部の位置（図２における第２のアダプタパネル固定位置１０７）に固定することが可能である。
【００２７】
アダプタパネル１２１及びアダプタ１２０を図６の位置に固定する場合、各アダプタ１２０と光コード１４０のコネクタ１４１（図５を参照）とはカバー２００を外した状態で接続すれば良く、各アダプタ１２０と各コネクタ１４１とをそれぞれ接続した後で本体１００にカバー２００を装着すれば良い。この場合、カバー２００を装着した状態ではアダプタ１２０及びコネクタ１４１がカバー２００によって覆われるため、図５のように外部に露出したアダプタ１２０やコネクタ１４１が周囲の機器や部材に接触してずれたり外れたりする恐れがない。同時に、露出した状態のアダプタ１２０やコネクタ１４１が悪戯の対象になる等の問題もない。
【００２８】
以上説明したように、本発明は、光ファイバケーブルやドロップケーブルの光ファイバ芯線を、コネクタ１３１、アダプタ１２０、アダプタパネル１２１、コネクタ１４１等を介して光コード１４０に接続する形態の光成端箱を想定している。
しかしながら、この光成端箱の他の使用形態としては、アダプタ１２０やアダプタパネル１２１を用いずに、図２（ａ）に示した入出力側のケーブル固定金具１５０，１５２を使用して光ファイバケーブルをそれぞれ導入し、あるいは、ドロップケーブル固定部１０２，１０３の一方または両方からドロップケーブルを導入し、これらの光ファイバ芯線の余長を底板１０１上に収容するようにしても良い。
【符号の説明】
【００２９】
１００：本体
１０１：底板
１０２，１０３：ドロップケーブル固定部
１０４ａ，１０４ｂ，１０６ａ，１０６ｂ：アダプタパネル装着部
１０５：第１のアダプタパネル固定位置
１０７：第２のアダプタパネル固定位置
１０８，１０９：ガイド片
１１０：ガイド壁
１１１：係止凹部
１１２，１１３：係止溝
１１４：取付孔
１１５，１１６：側板
１２０：アダプタ
１２１：アダプタパネル
１３０：光ファイバ芯線
１３１：コネクタ
１３２：光ファイバケーブル
１４０:光コード
１４１：コネクタ
１５０，１５２：ケーブル固定金具
１５１：固定バンド
２００：カバー
２０１，２０２，２０３：係止片
２０４，２０５：側片
２０６：連結片
２０７：天板
【図１】
2020134742.tif 000003
【図２】
2020134742.tif 000004
【図３】
2020134742.tif 000005
【図４】
2020134742.tif 000006
【図５】
2020134742.tif 000007
【図６】
2020134742.tif 000008
【図７】
2020134742.tif 000009